【手続補正書】
【提出日】平成20年9月26日(2008.9.26)
【手続補正１】
【補正対象書類名】特許請求の範囲
【補正対象項目名】全文
【補正方法】変更
【補正の内容】
【特許請求の範囲】
【請求項１】
ガスの液化または液体ガスの貯蔵における安全性を高めるための装置であって、
携帯型医療ガス治療のための液体ガスを収容するように機能する容器と、
第１の開口部と第２の開口部とを備えたボイルオフ槽であって、前記第１の開口部は、前記容器と流体連通し、前記容器の転倒または傾斜のときに、急速に膨張するガスおよび液体ガスの混合物を受けるように構成され、前記第２の開口部は、前記容器よりも大きな外側空間と流体連通し、前記ボイルオフ槽は、前記急速に膨張する混合物内の前記液体ガスが前記ボイルオフ槽の底部に沈下できるように、また、前記急速に膨張する混合物内の前記ガスが前記第２の開口部を経て前記ボイルオフ槽から出て、前記外側空間に逃げるように構成されたボイルオフ槽と、
を備える装置。
【請求項２】
ガス通気管路をさらに備え、
前記ボイルオフ槽は、前記ガス通気管路を経て前記容器と流体連通し、前記ガス通気管路は、前記容器からガスを通気させるように機能する、請求項１に記載の装置。
【請求項３】
前記ボイルオフ槽は、前記液体ガスが気化して、前記第２の開口部を経て前記ボイルオフ槽を出るまで、前記急速に膨張する混合物から沈下する前記液体ガスを収容するようにさらに構成される、請求項１に記載の装置。
【請求項４】
前記ボイルオフ槽は、第１の端部および第２の端部を有する円筒状の槽であり、前記第１の端部は前記第１の開口部を備え、前記第２の端部は前記第２の開口部を備える、請求項１に記載の装置。
【請求項５】
前記ボイルオフ槽は、第１の端部および第２の端部を有する円筒状の槽であり、前記第１の端部は前記第１の開口部を備え、前記第２の開口部は前記第２の端部よりも前記第１の端部の近くに位置する、請求項１に記載の装置。
【請求項６】
前記第１の開口部と流体連通する通気管路をさらに備え、
前記通気管路は、クライオクーラーから離れて第１の方向に延在し、前記クライオクーラーは前記容器と流体連通し、前記第２の開口部は第２の方向に開口し、前記第１の方向は前記第２の方向とは実質的に反対である、請求項５に記載の装置。
【請求項７】
コンデンサを備えるクライオクーラーをさらに備え、
前記コンデンサは、ガスを前記容器内に封じ込めるために液化するように機能する、請求項１に記載の装置。
【請求項８】
前記容器が所定の加速度より大きい加速度になったときに、前記クライオクーラーの電力回路を遮断するように構成された加速度計をさらに備える、請求項７に記載の装置。
【請求項９】
前記容器の転倒のときに、前記急速に膨張する混合物が、前記容器から前記ボイルオフ槽に移動する速度を減少させるための手段をさらに含む、請求項７に記載の装置。
【請求項１０】
酸素ガスの供給ストリームを供給するように機能する酸素濃縮器と、
前記酸素濃縮器から前記クライオクーラーに前記供給ストリームを搬送するように構成された供給管と、
前記供給管内に位置する一方向逆止め弁であって、前記供給ストリームが、前記酸素濃縮器から前記クライオクーラーに一方向に流れることができるように、また前記クライオクーラーから前記酸素濃縮器への反対方向への背圧を防ぐように構成された一方向逆止め弁と、
をさらに備える、請求項７に記載の装置。
【請求項１１】
第１の端部および第２の端部を有する第１の圧力逃し管路であって、前記第１の圧力逃し管路の前記第１の端部は、前記一方向逆止め弁と前記クライオクーラーとの間の位置において前記供給管と流体連通し、前記第１の圧力逃し管路の前記第２の端部は、前記ボイルオフ槽と流体連通し、前記第１の圧力逃し弁は、前記供給管内の第１の圧力が所定の圧力を超えたときに、液体が前記第１の圧力逃し管路を通って前記供給管から前記ボイルオフ槽に流れることができるように構成された第１の圧力逃し管路と、
第１の端部と第２の端部とを有する通気管であって、前記通気管の前記第１の端部は前記容器と流体連通し、前記通気管の前記第２の端部は前記ボイルオフ槽と流体連通し、前記通気管はガスが前記容器から出られるように構成された通気管と、
前記通気管と流体連通する第２の圧力逃し管路であって、前記通気管内の第２の圧力が前記所定の圧力を超えたときに、液体が前記第２の圧力逃し管路を通って前記通気管から流れることができるように構成された第２の圧力逃し管路と、
をさらに備える、請求項１０に記載の装置。
【請求項１２】
前記通気管は、前記通気管を通って流れないように機能するソレノイド弁を備え、前記第２の圧力逃し管路は、前記ソレノイド弁をバイパスする、請求項１１に記載の装置。
【請求項１３】
酸素ガスの液化または液体酸素ガスの貯蔵における安全性を高めるための装置であって、
液体酸素ガスを収容するように機能するデュワーと、
コールドフィンガーを備えるクライオクーラーであって、前記コールドフィンガーは、前記デュワー内に延在し、酸素ガスを前記デュワー内に封じ込めるために液化するように機能するクライオクーラーと、
前記デュワーが所定の角度で転倒したときに、前記クライオクーラーの電力回路を遮断するように構成されたスイッチと、を備える装置。
【請求項１４】
前記スイッチは水銀スイッチであり、前記所定の角度は少なくとも約４５°である、請求項１３に記載の装置。
【請求項１５】
転倒のときにおける液体酸素の漏出速度を減少させるための装置であって、
酸素治療のための液体酸素を収容するように機能する容器と、
コールドフィンガーを備えるクライオクーラーであって、前記コールドフィンガーは、前記容器内に延在し、酸素ガスを前記容器内に封じ込めるために液化するように機能するクライオクーラーと、
前記クライオクーラーと、外側の前記容器と、内側の前記コールドフィンガーとによって画定され、前記酸素ガスが通って流れる環状流路と、
バリアであって、前記環状流路内に位置し、前記容器の転倒のときに、前記環状流路の断面積を減少させて、急速に膨張する前記液体酸素および前記酸素ガスの組み合わせの漏出速度を減少させるように構成されたバリアと、
を備える装置。
【請求項１６】
前記コールドフィンガーを囲む前記クライオクーラー上に形成された第１のフランジと、
前記容器上に形成された第２のフランジであって、前記第１のフランジに開放可能に接続されて前記環状流路を形成し、前記酸素ガスが、前記環状流路を通って、前記第１のフランジと前記第２のフランジとの間で逃げることなく、前記クライオクーラーと前記容器との間を流れる第２のフランジと、
をさらに備える、請求項１５に記載の装置。
【請求項１７】
前記第１のフランジは、第１の傾斜表面を形成する前記第２のフランジに近づくにつれて外径が増加し、前記第２のフランジは、第２の傾斜表面を形成する前記第１のフランジに近づくにつれて外径が増加する装置であって、
前記第１の傾斜表面および前記第２の傾斜表面に適合するように構成されたクランプであって、前記第１および第２の傾斜表面のそれぞれに垂直力を加えて、前記第１のフランジおよび前記第２のフランジを互いに押す、対応する軸方向力を発生するようにさらに構成されたクランプをさらに備える、請求項１６に記載の装置。
【請求項１８】
前記バリアは、前記第１のフランジと前記第２のフランジとの間に少なくとも部分的に位置する、請求項１６に記載の装置。
【請求項１９】
前記バリアは、前記第１のフランジと前記第２のフランジとの間に挿入される、請求項１８に記載の装置。
【請求項２０】
第１の開口部および第２の開口部を備えるボイルオフ槽であって、
前記第１の開口部は、前記容器と流体連通し、前記容器の転倒のときに、前記急速に膨張する前記液体酸素および前記酸素ガスの組み合わせを受けるように構成され、前記ボイルオフ槽は、前記急速に膨張する組み合わせ内の前記液体酸素が前記ボイルオフ槽の底部に沈下できるように、また、前記急速に膨張する組み合わせ内の前記酸素ガスが前記第２の開口部を経て前記ボイルオフ槽から出られるように構成されたボイルオフ槽をさらに備える、請求項１５に記載の装置。
【請求項２１】
前記バリアは、クライオクーラーと一体である、請求項１５に記載の装置。
【請求項２２】
前記バリアは、約１／１０，０００乃至１／１５，０００インチに前記環状流路の断面幅を減じる、請求項１５に記載の装置。
【請求項２３】
前記環状流路は第１の環状流路であり、前記内側は第１の内側であり、前記外側は第１の外側であり、前記バリアは、
前記コールドフィンガーの少なくとも一部を囲むように構成された流れ誘導部であって、前記流れ誘導部は、前記第１の環状流路の少なくとも一部を第２の環状流路および第３の環状流路に分離させ、前記第２の環状流路は、第２の外側の前記流れ誘導部と、前記第１の内側の前記コールドフィンガーとによって画定され、前記第３の環状流路は、前記クライオクーラーと、前記第１の外側の前記容器と、第２の内側の前記流れ誘導部とによって画定される流れ誘導部を備え、
供給ストリームガスは、前記第２の環状流路を通って流れ、通気ガスは前記第３の環状流路を通って流れる、請求項１５に記載の装置。
【請求項２４】
酸素ガスの液化における安全性を高めるための装置であって、
携帯型酸素治療のための液体酸素を収容するように機能する容器と、
コールドフィンガーと放熱器とを備えたクライオクーラーであって、前記コールドフィンガーは、前記容器内に延在し、酸素ガスを前記容器内に封じ込めるために液化するように機能するクライオクーラーと、
前記放熱器の近傍に温度センサーを備えた温度検出回路であって、検出温度が適切なクライオクーラーの動作に適合しない所定の温度を超えたときに、前記クライオクーラーの電力回路を遮断するように機能する温度検出回路と、を備える装置。
【請求項２５】
酸素ガスの液化における安全性を高めるための装置であって、
携帯型酸素治療のための液体酸素を収容するように機能する容器と、
コールドフィンガーを備えたクライオクーラーであって、前記コールドフィンガーは、前記容器内に延在し、酸素ガスを前記容器内に封じ込めるために液化するように機能するクライオクーラーと、
前記コールドフィンガーの近傍に温度センサーを備えた温度検出回路であって、検出温度が適切なクライオクーラーの動作に適合しない所定の温度を超えたときに、前記クライオクーラーの電力回路を遮断するように機能する、温度検出回路と、を備える装置。
【請求項２６】
ガス液化の安全性を高めるための装置であって、
携帯型酸素治療のための液体酸素を収容するように機能する容器と、
コールドフィンガーを備えたクライオクーラーであって、前記コールドフィンガーは、前記容器内に延在し、酸素ガスを前記容器内に封じ込めるために液化するように機能するクライオクーラーと、
前記酸素ガスの供給ストリームを供給するように機能する酸素濃縮器と、
前記酸素濃縮器から前記クライオクーラーに前記供給ストリームを搬送するように構成された供給管と、
前記供給管と流体連通する酸素純度センサーであって、前記供給ストリームの酸素純度を監視し、前記酸素純度を示す信号を送信するように構成された酸素純度センサーと、
前記信号を受信し、前記酸素純度のグラフィック表現を表示するように構成された酸素純度インジケータと、を備える装置。
【請求項２７】
前記グラフィック表現は、前記酸素純度が酸素治療に使用するための所定のレベルを超えている場合は緑であり、前記グラフィック表現は、前記酸素純度が前記所定のレベル未満である場合は赤である、請求項２６に記載の装置。
【請求項２８】
前記所定のレベルは、９０容量パーセントである、請求項２７に記載の装置。
【請求項２９】
前記グラフィック表現は、前記供給ストリームにおける前記酸素ガスの容量のパーセンテージを示すデジタル数値表現である、請求項２６に記載の装置。
【請求項３０】
前記外側空間が前記容器を取り巻く大気である、請求項１に記載の装置。
【請求項３１】
酸素ガスの液化または液体酸素ガスの貯蔵における安全性を高めるための装置であって、
液体酸素ガスを収容するように機能するデュワーと、
コンデンサを備えるクライオクーラーであって、前記コンデンサは、酸素ガスを前記デュワー内に封じ込めるために液化するように機能するクライオクーラーと、
前記デュワーが所定の角度で転倒したときに、前記クライオクーラーの電力回路を遮断するように構成されたスイッチと、を備える装置。
【請求項３２】
前記スイッチは水銀スイッチであり、前記所定の角度は少なくとも約４５°である、請求項３１に記載の装置。
【請求項３３】
酸素ガスの液化における安全性を高めるための装置であって、
携帯型酸素治療のための液体酸素を収容するように機能する容器と、
コンデンサと放熱器とを備えたクライオクーラーであって、前記コンデンサは、酸素ガスを前記容器内に封じ込めるために液化するように機能するクライオクーラーと、
前記放熱器の近傍に温度センサーを備えた温度検出回路であって、検出温度が適切なクライオクーラーの動作に適合しない所定の温度を超えたときに、前記クライオクーラーの電力回路を遮断するように機能する温度検出回路と、を備える装置。
【請求項３４】
酸素ガスの液化における安全性を高めるための装置であって、
携帯型酸素治療のための液体酸素を収容するように機能する容器と、
コンデンサを備えたクライオクーラーであって、前記コンデンサは、酸素ガスを前記容器内に封じ込めるために液化するように機能するクライオクーラーと、
前記コールドフィンガーの近傍に温度センサーを備えた温度検出回路であって、検出温度が適切なクライオクーラーの動作に適合しない所定の温度を超えたときに、前記クライオクーラーの電力回路を遮断するように機能する、温度検出回路と、を備える装置。
【請求項３５】
ガス液化の安全性を高めるための装置であって、
携帯型酸素治療のための液体酸素を収容するように機能する容器と、
コンデンサを備えたクライオクーラーであって、前記コンデンサは、前記容器内に延在し、酸素ガスを前記容器内に封じ込めるために液化するように機能するクライオクーラーと、
前記酸素ガスの供給ストリームを供給するように機能する酸素濃縮器と、
前記酸素濃縮器から前記クライオクーラーに前記供給ストリームを搬送するように構成された供給管と、
前記供給管と流体連通する酸素純度センサーであって、前記供給ストリームの酸素純度を監視し、前記酸素純度を示す信号を送信するように構成された酸素純度センサーと、
前記信号を受信し、前記酸素純度のグラフィック表現を表示するように構成された酸素純度インジケータと、を備える装置。
【請求項３６】
前記グラフィック表現は、前記酸素純度が酸素治療に使用するための所定のレベルを超えている場合は緑であり、前記グラフィック表現は、前記酸素純度が前記所定のレベル未満である場合は赤である、請求項３５に記載の装置。
【請求項３７】
前記所定のレベルは、９０容量パーセントである、請求項３６に記載の装置。
【請求項３８】
前記グラフィック表現は、前記供給ストリームにおける前記酸素ガスの容量のパーセンテージを示すデジタル数値表現である、請求項３５に記載の装置。
【請求項３９】
携帯型酸素ガスの液化または液体酸素ガスの貯蔵における安全性を高めるための装置であって、
液体酸素を収容するように機能する容器と、
酸素ガスを前記容器内に封じ込めるために液化するように機能するコンデンサを備える、クライオクーラーと、
所定の量より大きい転倒、または所定の加速度より大きい加速度になった状態の前記容器に応答して、前記クライオクーラーの電力回路を遮断するように構成されたセンサーと、を備える装置。
【請求項４０】
前記クライオクーラーが冷却ファンを備え、前記センサーがさらに、所定の量より大きい転倒、または所定の加速度より大きい加速度になった状態の前記容器に応答して、前記冷却ファンの電力回路を遮断するように構成される、請求項３９に記載の装置。
【請求項４１】
前記クライオクーラーが回路基板を備え、前記センサーがさらに、所定の量より大きい転倒、または所定の加速度より大きい加速度になった状態の前記容器に応答して、前記回路基板の電力回路を遮断するように構成される、請求項３９に記載の装置。
【請求項４２】
前記クライオクーラーがさらにドライバを備え、前記センサーがさらに、所定の量より大きい転倒、または所定の加速度より大きい加速度になった状態の前記容器に応答して、前記ドライバの電力回路を遮断するように構成される、請求項３９に記載の装置。
【請求項４３】
前記コンデンサがコールドフィンガーである、請求項３９に記載の装置。
【請求項４４】
前記センサーが加速度計である、請求項３９に記載の装置。
【請求項４５】
前記センサーが転倒／傾斜スイッチを備える、請求項３９に記載の装置。
【請求項４６】
携帯型酸素ガスの液化または液体酸素ガスの貯蔵における安全性を高めるための装置であって、
液体酸素を収容するように機能する容器と、
酸素ガスを前記容器内に封じ込めるために液化するように機能するコンデンサを備える、クライオクーラーと、
所定の量より大きい転倒、または所定の加速度より大きい加速度になった状態の前記クライオクーラーに応答して、前記クライオクーラーの電力回路を遮断するように構成されたセンサーと、を備える装置。
【請求項４７】
前記クライオクーラーが冷却ファンを備え、前記センサーがさらに、所定の量より大きい転倒、または所定の加速度より大きい加速度になった状態の前記クライオクーラーに応答して、前記冷却ファンの電力回路を遮断するように構成される、請求項４６に記載の装置。
【請求項４８】
前記クライオクーラーが回路基板を備え、前記センサーがさらに、所定の量より大きい転倒、または所定の加速度より大きい加速度になった状態の前記クライオクーラーに応答して、前記回路基板の電力回路を遮断するように構成される、請求項４６に記載の装置。
【請求項４９】
前記クライオクーラーがさらにドライバを備え、前記センサーがさらに、所定の量より大きい転倒、または所定の加速度より大きい加速度になった状態の前記クライオクーラーに応答して、前記ドライバの電力回路を遮断するように構成される、請求項４６に記載の装置。
【請求項５０】
前記コンデンサがコールドフィンガーである、請求項４６に記載の装置。
【請求項５１】
前記センサーが加速度計である、請求項４６に記載の装置。
【請求項５２】
前記センサーが転倒／傾斜スイッチを備える、請求項４６に記載の装置。
【請求項５３】
携帯型酸素ガスの液化または液体酸素ガスの貯蔵における安全性を高めるための装置であって、
液体酸素を収容するように機能する容器と、
酸素ガスを前記容器内に封じ込めるために液化するように機能するコンデンサを備える、クライオクーラーと、
衝撃を受けた状態の前記容器または前記クライオクーラーに応答して、前記クライオクーラーの電力回路を遮断するように構成された衝撃検出装置と、を備える装置。
【請求項５４】
前記衝撃検出装置がさらに、衝撃を受けた状態の前記クライオクーラーおよび前記コンデンサに応答して、前記クライオクーラーおよび前記コンデンサの電力回路を遮断するように構成される、請求項５３に記載の装置。
【請求項５５】
前記衝撃検出装置が、作動接点アセンブリへの電力を取り除くことによって、衝撃を受けた状態の前記容器または前記クライオクーラーに応答して、前記クライオクーラーの電力回路を遮断するように構成される、請求項５３に記載の装置。
【請求項５６】
前記コンデンサがコールドフィンガーである、請求項５３に記載の装置。
【請求項５７】
携帯型酸素ガスの液化または液体酸素ガスの貯蔵における安全性を高めるための装置であって、
携帯型筐体と、
液体酸素を収容するための、前記筐体内に配置される貯蔵手段と、
酸素を前記貯蔵手段内に封じ込めるための、前記筐体内に配置される液化手段と、
前記液化手段に電力を供給するように適合された電源と、
前記携帯型筐体、前記貯蔵手段または前記液化手段の加速度、転倒、傾斜もしくは衝撃を検出するため、そして、所定の閾値よりも大きい前記検出される加速度、転倒、傾斜もしくは衝撃に応答して、電力が前記電源から前記液化手段へと供給されるのを防ぐための検出手段と、を備える装置。
【請求項５８】
前記液化手段がコンデンサおよび冷却ファンを備え、前記検出手段が、前記所定の閾値よりも大きい前記検出される加速度、転倒、傾斜または衝撃に応答して、電力が前記電源から前記コンデンサへ、前記冷却ファンへ、または前記コンデンサおよび前記冷却ファンの両方へと供給されるのを防ぐ、請求項５７に記載の装置。